(57)【要約】【課題】コンパクトで安価、かつ安全性を確保した基板構成の制御装置を提供すること。【解決手段】電源部と制御部品の駆動回路を構成する部品を実装した制御基板６１ｂと、操作用のスイッチ６５及びＬＥＤ６４の部品を実装した操作表示基板６１ａと、制御基板６１ｂを防湿防水するための防湿用ポッティング材６２と、制御基板６１ｂと防湿用ポッティング材６２とを一体的に収納する基板収納部６３とを備え、制御基板６１ｂと操作表示基板６１ａは、互いに部品を実装していない面を対向させて基板収納部６３に収納する構成とすることにより、コンパクトで安価、かつ安全性を確保した基板構成の制御装置とすることができる。【選択図】図１
2013094206.tif 000002
【特許請求の範囲】
【請求項１】
電源部と制御部品の駆動回路を構成する部品を実装した制御基板と、操作用のスイッチ及びＬＥＤの部品を実装した操作表示基板と、前記制御基板を防湿防水するための防湿用ポッティング材と、前記制御基板と前記防湿用ポッティング材とを一体的に収納する基板収納部とを備え、前記制御基板と前記操作表示基板は、互いに部品を実装していない面を対向させて前記基板収納部に収納する構成とした機器の制御装置。
【請求項２】
前記操作表示基板は、制御基板と対向する面に銅箔を形成した請求項１に記載の機器の制御装置。
【発明の詳細な説明】
【技術分野】
【０００１】
本発明は、操作・表示を制御する制御装置本体を防湿処理した機器の制御装置に関するものである。
【背景技術】
【０００２】
従来、洗濯機などの機器に使用されている制御装置の防湿防水対策としては、ポッティング材で電子部品を覆うことにより、湿気などの水分の浸入に対して防御するという構成が提案されてきた（例えば、特許文献１参照）。
【０００３】
図２は、特許文献１に記載された従来の洗濯機に搭載した制御装置回りの構成の分解斜視図を示すものである。
【０００４】
図２において、洗濯機本体１の上方前部には、上部枠体３内部に配した操作基板１１ａと、高電流の流れる制御部品を実装した制御基板１１ｂと、操作基板１１ａと制御基板１１ｂを内装する難燃樹脂製の基板収納部１２と、基板収納部１２内部に充填した防湿用ポッティング材５４（図示せず）と、制御基板１１ｂの上面に覆うように構成した難燃樹脂製の制御基板カバー１６と、基板収納部１２および操作基板１１ａと上部枠体３との間に配された操作パネル部１５などで構成する制御装置を備えている。
【０００５】
制御基板カバー１６は、側面にて基板収納部１２との嵌合部をラビリンス構造にした防水構造を有している。また、基板収納部１２の下面で制御基板１１ｂ側には金属鋼板製の下面板金カバー１８を、同じく制御基板１１ｂ側の制御基板カバー１６上面には金属鋼板製の上面板金カバー１７を構成しており、発火の可能性のある高電流が流れる部材を制御基板１１ｂに集中させ、万一の発熱や発火が生じても難燃性樹脂部材の基板収納部１２と制御基板カバー１６、および、金属鋼板製の上面板金カバー１７と下面板金カバー１８にて延焼を防ぎ、製品の安全性を図っている。
【先行技術文献】
【特許文献】
【０００６】
【特許文献１】特開２０１０−９４２４９号公報
【発明の概要】
【発明が解決しようとする課題】
【０００７】
しかしながら、前記従来の構成では、制御基板と操作基板両方の大きな面積を高価格なポッティング材で覆う必要があり、また基板収納部も、制御基板と操作基板を別々に収納しているため、基板収納部の難燃性樹脂材の使用量も多くなり、コストが高くなるという課題があった。
【０００８】
本発明は、上記従来の課題を解決するもので、コンパクトで安価、かつ安全性を確保した基板構成を有する機器の制御装置を提供することを目的としている。
【課題を解決するための手段】
【０００９】
本発明は、前記従来の課題を解決するために、本発明の機器の制御装置は、電源部と制御部品の駆動回路を構成する部品を実装した制御基板と、操作用のスイッチ及びＬＥＤの部品を実装した操作表示基板と、前記制御基板を防湿防水するための防湿用ポッティング材と、前記制御基板と前記防湿用ポッティング材とを一体的に収納する基板収納部とを備え、前記制御基板と前記操作表示基板は、互いに部品を実装していない面を対向させて前
記基板収納部に収納する構成としたものである。
【００１０】
これによって、基板がコンパクトに構成されるとともに、ポッティング材の使用量を最小限まで少なくすることができ、安価な基板構成とすることができる。
【発明の効果】
【００１１】
本発明の洗濯機は、基板がコンパクトに構成されるとともに、ポッティング材の使用量を最小限まで少なくすることができ、安価な基板構成を実現することができる。
【図面の簡単な説明】
【００１２】
【図１】本発明の実施の形態における機器の制御装置の断面図
【図２】従来の洗濯機に搭載した制御装置回りの構成の分解斜視図
【発明を実施するための形態】
【００１３】
第１の発明は、電源部と制御部品の駆動回路を構成する部品を実装した制御基板と、操作用のスイッチ及びＬＥＤの部品を実装した操作表示基板と、前記制御基板を防湿防水するための防湿用ポッティング材と、前記制御基板と前記防湿用ポッティング材とを一体的に収納する基板収納部とを備え、前記制御基板と前記操作表示基板は、互いに部品を実装していない面を対向させて前記基板収納部に収納される構成とすることにより、基板がコンパクトに構成されるとともに、ポッティング材の使用量を最小限まで少なくすることができ、安価な基板構成とすることができる。
【００１４】
第２の発明は、特に第１の発明の操作表示基板は、制御基板と対向する面に銅箔を形成したことにより、制御基板からの異常発熱や発火が発生した場合に、類焼を簡単な構成で防止することができる。
【００１５】
以下、発明の実施の形態について、図面を参照しながら説明する。また、この実施の形態によって本発明が限定されるものではない。
【００１６】
（実施の形態１）
図１は、本発明の実施の形態における機器の制御装置の断面図を示すものである。図１において、高電圧で動作する電源部と、電流が大きい電装装置の駆動部と、箔間ピッチが狭いマイコンとその周辺回路と、駆動回路などの防水が必要とする回路部を制御基板６１ｂに実装し、その制御基板６１ｂを低温で成型可能な材料、例えばホットメルトモールディング材で成型した防湿用ポッティング材６２で覆っている。そして、制御基板６１ｂの下面側に各電子部品７０等を配置し、上面側に回路を構成する制御基板銅箔７１が形成してある。また、制御基板６１ｂの上部に操作表示基板６１ａを配置している。
【００１７】
操作表示基板６１ａは、上記制御基板６１ｂを覆っている防湿用ポッティング材６２と一体成型された基板収納部６３でその下部と側面部を覆われており、その基板収納部６３に操作表示基板６１ａの取り付けができるよう構成されている。
【００１８】
操作表示基板６１ａは、低電圧、低電流で動作するため、トラッキングの発生もなく、箔間距離を大きくとることで水分の影響を受けにくくすることが可能で、ＬＥＤ６４やスイッチ６５、およびダイオードや受動素子のコンデンサーや抵抗（図示せず）が配置されている。そして、通信用のリード線６６で制御基板６１ｂと操作表示基板６１ａを接続している。また、操作表示基板６１ａから離れた位置の基板収納部６３には、高電圧が印加される電源スイッチ６７が設けてある。
【００１９】
また、操作表示基板６１ａは、両面に銅箔を形成した両面基板であり、上面側にＬＥＤ
６４、スイッチ６５などの各部品を実装しており、下面側の操作表示基板銅箔６９は、下部に配置した制御基板６１ｂが万一異常発熱や発火を発生した時に類焼を防止するカバーの役割を果たすことができる。また、制御基板６１ｂの下方には、同様に、制御基板６１ｂが異常発熱や発火を発生した場合の類焼を防止する金属製の板金カバー６８が設けられ、制御基板６１ｂの下部および側面部を取り囲むように構成されている。
【００２０】
以上のように構成された制御装置について、以下、その動作、作用を説明する。
【００２１】
上記構成によれば、水の浸入に対して影響の受けやすい回路部品を、制御基板６１ｂに実装して防湿用ポッティング材６２で防湿防水処理を施しているため、高信頼性を確保することが可能となる。また、制御基板６１ｂの上部に操作表示基板６１ａを配置するとともに、操作表示基板６１ａを、前記防湿用ポッティング材６２と一体成型した基板収納部６３に収納して取り付ける構成とすることで、つまり、制御基板６１ｂの上面側の防湿用ポッティング材６２は、制御基板６１ｂの防湿防水と、操作表示基板６１ａの収納部としての両方の役目を持つ構成とすることで、基板がコンパクトに構成されるとともに、ポッティング材の使用量を最小限まで少なくすることできる。
【００２２】
また、前述のように、操作表示基板６１ａの下面側の操作表示基板銅箔６９は、制御基板６１ｂが異常発熱や発火を発生した場合の類焼を防止するカバーの役割を果たすことができるので、板金などの材料を少なくすることができる。
【００２３】
以上のように、本実施の形態においては、操作表示基板は、制御基板の上部に配置されるとともに、防湿用ポッティング材と一体成型された基板収納部に収納される構成とすることにより、基板がコンパクトに構成されるとともに、ポッティング材の使用量を最小限まで少なくすることができ、安価な基板構成の制御装置とすることができる。
【００２４】
また、操作表示基板は、制御基板と対向する反部品実装面にも銅箔を形成することにより、制御基板からの異常発熱や発火が発生した場合に、類焼を簡単な構成で防止することができる。
【産業上の利用可能性】
【００２５】
以上のように、本発明にかかる機器の制御装置は、操作表示基板を制御基板の上部に配置するとともに、操作表示基板を、制御基板を覆う防湿用ポッティング材と一体成型された基板収納部に収納することにより、コンパクトで安価、かつ安全性を確保した基板構成が可能となるので、あらゆる電化機器等の用途に適用できる。
【符号の説明】
【００２６】
６５  スイッチ
６４  ＬＥＤ
６１ａ  操作表示基板
６１ｂ  制御基板
６３  基板収納部
６２  防湿用ポッティング材
【図１】
2013094206.tif 000003
【図２】
2013094206.tif 000004